(57)【要約】【課題】棟瓦の施工不良を少なくすることができ、棟瓦の取り付けの安定性を向上させることができる屋根の棟構造を提供する。【解決手段】複数の脚部材１と、受け部材２と、支持部材３と、棟瓦４とを備えて形成される。複数の脚部材１は、棟の頂部１３１を跨ぎ、棟の長手方向に沿って間隔を空けて並べて設けられる。受け部材２は、長尺の棒材からなり、複数の脚部材１の上端部に架け渡して設けられる。支持部材３は、長尺の断面略山型の薄板材からなり、受け部材２を覆うように取り付けられる取付部３１と、取付部３１から屋根の両傾斜面に沿って延設される支持部３２とを有する。棟瓦４は、内面４４が支持部材３の取付部３１と空間部５０を形成するよう離間し、かつ下端面が支持部３１に載置支持されるよう支持部材３の上方から設けられ、固定具４３により棟瓦４の頂部４１から空間部５０を介して受け部材２に固定されてなる。【選択図】図１
2015059367.tif 000002
【特許請求の範囲】
【請求項１】
複数の脚部材と、受け部材と、支持部材と、棟瓦とを備えて形成され、
前記複数の脚部材は、棟の頂部を跨ぎ、棟の長手方向に沿って間隔を空けて並べて設けられ、
前記受け部材は、長尺の棒材からなり、前記複数の脚部材の上端部に架け渡して設けられ、
前記支持部材は、長尺の断面略山型の薄板材からなり、前記受け部材を覆うように取り付けられる取付部と、前記取付部から屋根の両傾斜面に沿って延設される支持部とを有し、
前記棟瓦は、内面が前記支持部材の前記取付部と空間部を形成するよう離間し、かつ下端面が前記支持部に載置支持されるよう前記支持部材の上方から設けられ、固定具により前記棟瓦の頂部から前記空間部を介して前記受け部材に固定されてなる
ことを特徴とする屋根の棟構造。
【請求項２】
止水部材が、前記棟瓦の下端面の鉛直下方において、前記支持部と前記屋根面との間を塞ぐように弾性的に設けられていることを特徴とする請求項１に記載の屋根の棟構造。
【発明の詳細な説明】
【技術分野】
【０００１】
本発明は、屋根の棟構造に関する。
【背景技術】
【０００２】
従来、棟瓦を設けた屋根の棟構造が提案されている（例えば、特許文献１参照）。図２４に示されている棟構造は、脚部材１と、受け部材２と、支持部材３と、棟瓦４とを備えて形成されている。
【０００３】
脚部材１は、棟において、野地板５に取り付けられている。脚部材１はその上端が屋根瓦６の上面よりも上側に突出している。また複数の脚部材１が棟の長手方向に沿って並べて設けられている。
【０００４】
受け部材２は長尺の角材で形成されている。受け部材２は脚部材１の上端に取り付けられている。また受け部材２は複数の脚部材１に架け渡して設けられており、棟の略全長に亘って配置することができる。
【０００５】
支持部材３は受け部材２に取り付けられている。支持部材３は二個一組で構成されており、受け部材２の一方の側面と他方の側面に支持部材３が一つずつ設けられている。また支持部材３には屋根瓦６の上面の上方に位置する支持部９１が設けられている。また支持部材３には受け部材２の上面に引っ掛けられる引っ掛け片９０が設けられている。
【０００６】
棟瓦４はシェル構造からなる曲面板で形成されている。棟瓦４は受け部材２及び支持部材３の上方を覆うように設けられている。また棟瓦４の頂部の下面は、受け部材２の上面の引っ掛け片９０の上に載せられて接触保持されている。また棟瓦４の両側の下端は、支持部９１の上に載せられている。そして、釘等の固定具７が棟瓦４の頂部を貫通して受け部材２に打ち込まれることにより、棟瓦４が固定されて取り付けられている。
【先行技術文献】
【特許文献】
【０００７】
【特許文献１】特開平５−１３３０４３号公報
【発明の概要】
【発明が解決しようとする課題】
【０００８】
しかし、上記の棟構造では、棟瓦４の頂部の下面が受け部材２の上面に引っ掛けられた引っ掛け片９０に接触保持されているため、受け部材２が上下左右に波打つように配置されて、不陸が生じている場合では、その影響を棟瓦４が受けやすくなり、棟瓦４も上下左右に波打つように配置されて外観が低下するなどの施工不良になる可能性があった。また、高さ寸法の高い棟瓦４を施工する場合、脚部材１の高さ寸法も高くして、棟瓦４の頂部の下面を引っ掛け片９０に接触保持させなければならず、脚部材１の取り付けの安定性が低下することがあった。このため棟瓦４の取り付けの安定性も低下するおそれがあった。
【０００９】
本発明は上記の点に鑑みてなされたものであり、棟瓦の施工不良を少なくすることができ、棟瓦の取り付けの安定性を向上させることができる屋根の棟構造を提供することを目的とするものである。
【課題を解決するための手段】
【００１０】
本発明に係る屋根の棟構造は、複数の脚部材と、受け部材と、支持部材と、棟瓦とを備えて形成され、
前記複数の脚部材は、棟の頂部を跨ぎ、棟の長手方向に沿って間隔を空けて並べて設けられ、
前記受け部材は、長尺の棒材からなり、前記複数の脚部材の上端部に架け渡して設けられ、
前記支持部材は、長尺の断面略山型の薄板材からなり、前記受け部材を覆うように取り付けられる取付部と、前記取付部から屋根の両傾斜面に沿って延設される支持部とを有し、
前記棟瓦は、内面が前記支持部材の前記取付部と空間部を形成するよう離間し、かつ下端面が前記支持部に載置支持されるよう前記支持部材の上方から設けられ、固定具により前記棟瓦の頂部から前記空間部を介して前記受け部材に固定されてなる
ことを特徴とするものである。
【００１１】
本発明にあっては、止水部材が、前記棟瓦の下端面の鉛直下方において、前記支持部と前記屋根面との間を塞ぐように弾性的に設けられていることが好ましい。
【発明の効果】
【００１２】
本発明にあっては、前記棟瓦は、内面が前記支持部材の前記取付部と空間部を形成するよう離間し、かつ下端面が前記支持部に載置支持されるよう前記支持部材の上方から設けられ、固定具により前記棟瓦の頂部から前記空間部を介して前記受け部材に固定されるので、受け部材に不陸が生じても、その影響を棟瓦が受けにくくすることができ、棟瓦の施工不良を少なくすることができる。また高さ寸法の高い棟瓦を施工する場合であっても、脚部材の高さ寸法を高くする必要がなく、棟瓦の取り付けの安定性を向上させることができる。
【図面の簡単な説明】
【００１３】
【図１】本発明の実施の形態の一例を示す断面図である。
【図２】本発明で用いられる脚部材の一例を示す斜視図である。
【図３】本発明で用いられるベース部品の一例を示す斜視図である。
【図４】本発明で用いられる受け部品の一例を示す斜視図である。
【図５】本発明で用いられる支持部材の一例を示す斜視図である。
【図６】本発明で用いられる棟瓦の一例を示す斜視図である。
【図７】本発明の実施の形態の施工工程の一例を示す斜視図である。
【図８】本発明の実施の形態の施工工程の一例を示す斜視図である。
【図９】本発明の実施の形態の施工工程の一例を示す斜視図である。
【図１０】本発明の実施の形態の施工工程の一例を示す斜視図である。
【図１１】本発明の実施の形態の施工工程の一例を示す斜視図である。
【図１２】本発明の実施の形態の施工工程の一例を示す斜視図である。
【図１３】本発明の実施の形態の施工工程の一例を示す斜視図である。
【図１４】本発明の実施の形態の施工工程の一例を示す斜視図である。
【図１５】本発明の実施の形態の施工工程の一例を示す斜視図である。
【図１６】本発明の実施の形態の一例を示し、（ａ）〜（ｄ）は概略図である。
【図１７】本発明の他の実施の形態の一例を示す断面図である。
【図１８】本発明の他の実施の形態の施工工程の一例を示す斜視図である。
【図１９】本発明の他の実施の形態の施工工程の一例を示す斜視図である。
【図２０】本発明の他の実施の形態の施工工程の一例を示す斜視図である。
【図２１】本発明の他の実施の形態の施工工程の一例を示す斜視図である。
【図２２】本発明の他の実施の形態の施工工程の一例を示す斜視図である。
【図２３】本発明の他の実施の形態の施工工程の一例を示す斜視図である。
【図２４】従来例を示す斜視図である。
【発明を実施するための形態】
【００１４】
以下、本発明を実施するための形態を説明する。
【００１５】
図１に本実施の形態の一例を示す。この屋根の棟構造は平棟（大棟）の構造であり、脚部材１と、受け部材２と、支持部材３と、棟瓦４とを備えて形成されている。
【００１６】
脚部材１は金具等で形成されるものであって、図２に示すように、ベース部品１１と受け部品１２とで形成されている。
【００１７】
ベース部品１１は、図３に示すように、二個の第一連結片１１１と二個の固定片１１２と第一結合片１１３とを有している。二個の第一連結片１１１は所定の間隔を設けて配置されており、二個の第一連結片１１１の上端が第一結合片１１３で結合されている。第一結合片１１３の前端部は爪部１１４として形成されている。二個の固定片１１２は第一連結片１１１の下端に一つずつ設けられている。固定片１１２は第一連結片１１１の下端から側方に向かって下り傾斜するように形成されている。固定片１１２には厚み方向に貫通する複数の固定孔１１５が設けられている。
【００１８】
受け部品１２は、図４に示すように、二個の第二連結片１２１と二個の受け片１２２と二個の取付片１２３と第二結合片１２４とを有している。二個の第二連結片１２１は所定の間隔を設けて配置されており、二個の第二連結片１２１の前端が第二結合片１２４で結合されている。第二連結片１２１には複数の第一スリット１２５が上下に並べて設けられている。また第二結合片１２４には複数の第二スリット１２６が上下に並べて設けられている。二個の受け片１２２は第二連結片１２１の上端に一つずつ設けられている。受け片１２２は第二連結片１２１の上端から側方に向かって突出して形成されている。二個の取付片１２３は受け片１２２の先端に一つずつ設けられている。取付片１２３は受け片１２２の先端から上方に向かって突出して形成されている。また取付片１２３には厚み方向に貫通する複数の取付孔１２７が設けられている。
【００１９】
そして、ベース部品１１と受け部品１２とを組み立て脚部材１を形成することができる。この場合、前側から二枚の第一連結片１１１の間に二枚の第二連結片１２１を差し込みながら、第一結合片１１３を一つの第一スリット１２５に差し込み、さらに爪部１１４を一つの第二スリット１２６に差し込む。この後、爪部１１４を折り曲げて第二スリット１２６の縁部に引っ掛ける。このようにしてベース部品１１と受け部品１２とを組み立て一体化して、図２に示す脚部材１を形成することができる。この脚部材１では、第一結合片１１３を差し込む第一スリット１２５を選択することにより、ベース部品１１に対する受け部品１２の取り付け高さを変えることができる。従って、高さの異なる脚部材１を容易に作製することができる。
【００２０】
受け部材２は長尺の角材や角筒などの棒材で形成することができる。受け部材２は木材や金属成形品や樹脂成形品で形成することができる。
【００２１】
支持部材３は長尺の断面略山型の金属成形品や樹脂成形品で形成することができ、例えば、金属製の薄板材を折り曲げ加工して形成することができる。図５に示すように、支持部材３は取付部３１と二個の支持部３２とを有して形成されている。取付部３１は、矩形板状の上片３１１と二個の矩形板状の側片３１２とを有して形成されている。上片３１１は二個の側片３１２の上端間に設けられている。二個の支持部３２は側片３１２に一個ずつ設けられている。支持部３２は側片３１２の下端から側方に向かって下り傾斜して形成されている。支持部３２は、急傾斜部３２１と、急傾斜部３２１の下端縁に延設される緩傾斜面３２２とを有している。
【００２２】
棟瓦４は屋根材１５と同様、セメント成形品などで形成されている。図６に示すように、棟瓦４はシェル構造からなる曲面板で形成されている。すなわち、棟瓦４は断面略逆Ｕ字状に形成されている。棟瓦４の外側面には階段状の凹凸面に形成されている。
【００２３】
そして、本実施の形態の平棟の棟構造は、以下のようにして形成することができる。
【００２４】
まず、図７に示すように、棟における屋根下地１３の頂部１３１に複数の脚部材１を取り付ける。屋根下地１３は野地板１３２の上面にアスファルトルーフィングなどの下葺材１３３を敷いて形成することができる。屋根下地１３は頂部１３１から両側の軒に向かって下り傾斜して形成されている。複数の脚部材１は棟の長手方向に沿って並べて設けられている。複数の脚部材１は所定の間隔（例えば、６００ｍｍ以下）を空けて設けることができる。また、頂部１３１のけらば（螻羽）近くの端部には、高さ寸法の低い脚部材１４を設けることができる。脚部材１を取り付けるにあたっては、頂部１３１を跨ぐようにして二個の固定片１１２を屋根下地１３の上に配置し、釘などの固定具１１６を固定孔１１５から屋根下地１３に打ち込むようにする。
【００２５】
次に、図８に示すように、頂部１３１の上方に受け部材２を設ける。受け部材２は屋根面（屋根材１５の上面）１７よりも上側に突出している脚部材１の上端部に取り付けるようにする。すなわち、受け部材２は脚部材１の二個の取付片１２３の間に差し込まれて受け片１２２の上に載せられ、この後、釘などの固定具１８を取付孔１２７から受け部材２に打ち込むようにする。受け部材２は棟の長手方向と略平行に設置され、複数の脚部材１の上端部の間に架け渡して設けられる。また高さの低い脚部材１４の上端部の間にも短い受け部材１９が設けられる。さらに、屋根下地１３の上に複数の屋根材（瓦）１５を設置して固定する。複数の屋根材１５は屋根下地１３の上に縦横に並べて設けることができる。また屋根下地１３のけらばには、複数のけらば瓦１６を設ける。複数のけらば瓦１６はけらばの長手方向に沿って並べて設けることができる。
【００２６】
次に、図９に示すように、屋根面１７に止水部材２０が設けられる。止水部材２０は合成ゴムなどの弾性材で形成することができる。止水部材２０は最も棟側に設置される屋根材１５の上面に設けられる。また止水部材２０は棟の長手方向と略平行に設けられる。また止水部材２０は頂部１３１を挟んで両側の屋根面１７に設けられる。
【００２７】
次に、図１０に示すように、支持部材３を受け部材２に取り付ける。この場合、取付部３１を受け部材２に上から嵌め込んで覆うようにする。すなわち、二個の側片３１２の間に受け部材２を位置させながら、受け部材２の上面に上片３１１を載せるようにする。この後、釘などの固定具２１を上片３１１の上から受け部材２にまで打ち込むようにする。このようにして脚部材１及び受け部材２を覆うようにして支持部材３を取り付ける。ここで、支持部３２は頂部１３１を挟んで両側の屋根面１７の上方に位置している。従って、支持部３２は受け部材２に取り付けた取付部３１から屋根の両傾斜面（両方の屋根面１７の傾斜）に沿って延設されていることになる。また支持部３２の先端の緩傾斜面３２２の裏面は止水部材２０の上面に接触している。
【００２８】
次に、図１１に示すように、シート状の面戸２２を取り付ける。この面戸２２は、支持部材３のけらば側の端部から短い受け部材１９の上面及び最も棟側にある屋根材１５の棟側端部を覆い、さらに最も棟側にあるけらば瓦１６の棟側端部を覆うようにして設けられる。
【００２９】
次に、図１２に示すように、支持部材３のけらば側の端部の上面に台部材２３を取り付ける。台部材２３は釘等の固定具２４で受け部材２に固定する。次に、図１３に示すように、頂部１３１のけらば側の端部に棟巴２５を取り付ける。棟巴２５は釘等の固定具２６で短い受け部材１９に固定する。また棟巴２５と最も棟側に配置されたけらば瓦１６の上面との間にはシーリング材２６１が設けられる。次に、図１４に示すように、鬼瓦２７を取り付ける。鬼瓦２７は棟巴２５と受け部材２の間に設けられる。鬼瓦２７は台部材２３と針金等の線材で接続することができる。
【００３０】
次に、図１５に示すように、棟瓦４を取り付ける。棟瓦４を取り付けるにあたっては、棟瓦４を支持部材３に上方から被せ、棟瓦４の下端面を支持部３２の先端の緩傾斜面３２２の上面に載置して支持する。このとき、棟瓦４の内面（下面及び内側面）４４と支持部材３の取付部３１とが離間して接触しないようにしている。すなわち、固定した棟瓦４の内面４４と支持部材３の取付部３１との間に空間部５０が形成されている。そして、空間部５０を介して棟瓦４の頂部４１に設けた固定孔４２から釘等の固定具４３を支持部材３の上片３１１及び受け部材２にまで打ち込む。また鬼瓦２７はその頂部２７１に設けた固定孔２７２から釘等の固定具２７３を短い受け部材１９にまで打ち込む。このようにして複数の棟瓦４は棟の長手方向に沿って並べて固定することにより、図１に示すような棟構造を形成することができる。
【００３１】
本実施の形態の棟構造では、棟瓦４の内面４４と支持部材３の取付部３１との間に空間部５０が形成されている。従って、受け部材２が上下左右に波打つように配置されて不陸が生じている場合であっても、その影響を支持部材３が吸収し棟瓦４が直接影響を受けにくくなり、棟瓦４の施工不良を少なくすることができる。また、高さ寸法の高い棟瓦４を施工する場合であっても、脚部材１の高さ寸法を高くする必要がなく、脚部材１の取り付けの安定性が低下しにくくなり、棟瓦４の取り付けの安定性が低下しにくくなる。また棟瓦４の下端面の鉛直下方に止水部材２０が位置しているので、棟瓦４の重量を止水部材２０で支持しやすくなって、棟瓦４を安定して取り付けることができる。しかも、棟瓦４の下端面の鉛直下方に止水部材２０を設けることで、固定具４３をより深く打ち込むことで棟瓦４の下端面が支持部３２の端部（緩傾斜面３２２）を押さえ、支持部３２の端部がさらに止水部材２０を屋根面１７に対して略垂直に押し縮めることになる。従って、棟瓦４の下端面の鉛直下方において、支持部３２の端部と屋根面１７との間を塞ぐように、止水部材２０が弾性的に設けられていることになり、容易かつ効率よく止水できるものである。また、支持部３２の端部（緩傾斜面３２２）の軒棟方向の寸法を、棟瓦４の下端面の厚さ方向の寸法と同等又は僅かに短くするのが好ましい。通常、図１６（ａ）のように、支持部材３の芯（中心線）Ｇ２と棟瓦４の芯（中心線）Ｇ１とが重なって施工されるが、図１６（ｂ）のように、支持部材３の芯（中心線）Ｇ２と棟瓦４の芯（中心線）Ｇ１とがずれて施工された場合であっても、屈曲部分（急傾斜面３２１と緩傾斜面３２２との境部）に棟瓦４の下端面の一部（例えば、奥側のコーナー部分）が当接（接触）されるため、棟瓦４の下方から支持部材３の端部が飛び出して施工されにくくなり、美観を損ねにくいものである。支持部材３に緩傾斜面３２２が形成されていない場合、図１６（ｃ）のように、支持部材３の芯（中心線）Ｇ２と棟瓦４の芯（中心線）Ｇ１とが重なって施工された場合は問題ないが、図１６（ｄ）に示すように、支持部材３の芯（中心線）Ｇ２と棟瓦４の芯（中心線）Ｇ１とがずれて施工された場合、棟瓦４の下方から支持部材３の支持部３２が飛び出して施工されやすくなり、美観を損ねることがある。
【００３２】
図１７に他の実施の形態を示す。この屋根の棟構造は隅棟の構造であり、上記の平棟の場合と同様に、脚部材１と、受け部材２と、支持部材３と、棟瓦４とを備えて形成されている。脚部材１は平棟の場合よりも高さがやや低く形成されている。受け部材２は平棟の場合と同様である。支持部材３及び棟瓦４は平棟の場合よりもひと回り小さく形成されている。
【００３３】
そして、本実施の形態の隅棟の棟構造は、平棟の場合とほぼ同様に形成することができる。すなわち、まず、図１８に示すように、棟（隅棟）における屋根下地１３の頂部１３１に複数の脚部材１を取り付ける。屋根下地１３は上記と同様に形成されている。屋根下地１３は頂部１３１から両側の軒に向かって下り傾斜して形成されている。複数の脚部材１は棟（隅棟）の長手方向に沿って並べて設けられている。複数の脚部材１は所定の間隔（例えば、６００ｍｍ以下）を空けて設けることができる。また、頂部１３１の隅部５９近くの端部には、高さ寸法の低い脚部材１４を設けることができる。脚部材１を取り付けるにあたっては、頂部１３１を跨ぐようにして二個の固定片１１２を屋根下地１３の上に配置し、釘などの固定具１１６を固定孔１１５から屋根下地１３に打ち込むようにする。
【００３４】
次に、図１９に示すように、頂部１３１の上方に受け部材２を設ける。受け部材２は屋根面（屋根材１５の上面）１７よりも上側に突出している脚部材１の上端に取り付けるようにする。すなわち、受け部材２は脚部材１の二個の取付片１２３の間に差し込まれて受け片１２２の上に載せられ、この後、釘などの固定具１８を取付孔１２７から受け部材２に打ち込むようにする。受け部材２は棟の長手方向と略平行に設置され、複数の脚部材１の上端間に架け渡して設けられる。また高さの低い脚部材１４の上端間にも短い受け部材１９が設けられる。さらに、屋根下地１３の上に複数の屋根材（瓦）１５を設置して固定する。複数の屋根材１５は屋根下地１３の上に縦横に並べて設けることができる。
【００３５】
次に、図２０に示すように、シート状の面戸２２を取り付ける。この面戸２２は、受け部材２の上面及び短い受け部材１９の上面及び最も棟側にある屋根材１５の棟側端部を覆い、さらに屋根下地１３の隅部５９を覆うようにして設けられる。
【００３６】
次に、図２１に示すように、支持部材３を受け部材２に取り付ける。この場合、面戸２２を設けた受け部材２に上から取付部３１を嵌め込んで覆うようにする。すなわち、面戸２２を設けた受け部材２を二個の側片３１２の間に位置させながら、受け部材２の上面の面戸２２に上片３１１を載せるようにする。この後、釘などの固定具２１を上片３１１の上から受け部材２にまで打ち込むようにする。このようにして脚部材１及び受け部材２及び面戸２２を覆うようにして支持部材３を取り付ける。ここで、支持部３２は頂部１３１を挟んで両側の屋根面１７の上方に位置している。従って、支持部３２は受け部材２に取り付けた取付部３１から屋根の両傾斜面（両方の屋根面１７の傾斜）に沿って延設されていることになる。
【００３７】
次に、支持部材３の隅部５９側の端部の上面に台部材２３を取り付ける。台部材２３は釘等の固定具で受け部材２に固定する。次に、頂部１３１の隅部側の端部に隅巴５５を取り付ける。隅巴５５は釘等の固定具２６で短い受け部材１９に固定する。
【００３８】
次に、図２２に示すように、鬼瓦２７を取り付ける。鬼瓦２７は隅巴５５と受け部材２の間に設けられる。鬼瓦２７は台部材２３と針金等の線材で接続することができる。次に、図２３に示すように、棟瓦４を取り付ける。棟瓦４を取り付けるにあたっては、棟瓦４を支持部材３に上方から被せ、棟瓦４の下端面を支持部３２の先端の緩傾斜面３２２の上面に載置して支持する。このとき、棟瓦４の内面（下面及び内側面）４４と支持部材３の取付部３１とが離間して接触しないようにしている。すなわち、固定した棟瓦４の内面４４と支持部材３の取付部３１との間に空間部５０が形成されている。そして、空間部５０を介して棟瓦４の頂部４１に設けた固定孔４２から釘等の固定具４３を支持部材３の上片３１１及び受け部材２にまで打ち込む。また鬼瓦２７はその頂部２７１に設けた固定孔２７２から釘等の固定具２７３を短い受け部材１９にまで打ち込む。このようにして複数の棟瓦４は棟の長手方向に沿って並べて固定することにより、図１７に示すような棟構造を形成することができる。
【００３９】
本実施の形態の隅棟の棟構造では、上記平棟の場合と同様の効果を奏するものである。
【符号の説明】
【００４０】
１  脚部材
２  受け部材
３  支持部材
４  棟瓦
１７  屋根面
２０  止水部材
３１  取付部
３２  支持部
４１  頂部
４３  固定具
４４  内面
５０  空間部
１３１  頂部
【図１】
2015059367.tif 000003
【図２】
2015059367.tif 000004
【図３】
2015059367.tif 000005
【図４】
2015059367.tif 000006
【図５】
2015059367.tif 000007
【図６】
2015059367.tif 000008
【図７】
2015059367.tif 000009
【図８】
2015059367.tif 000010
【図９】
2015059367.tif 000011
【図１０】
2015059367.tif 000012
【図１１】
2015059367.tif 000013
【図１２】
2015059367.tif 000014
【図１３】
2015059367.tif 000015
【図１４】
2015059367.tif 000016
【図１５】
2015059367.tif 000017
【図１６】
2015059367.tif 000018
【図１７】
2015059367.tif 000019
【図１８】
2015059367.tif 000020
【図１９】
2015059367.tif 000021
【図２０】
2015059367.tif 000022
【図２１】
2015059367.tif 000023
【図２２】
2015059367.tif 000024
【図２３】
2015059367.tif 000025
【図２４】
2015059367.tif 000026